(57)【特許請求の範囲】
【請求項１】
熱を感知する熱感知部をリード部の先端に有する熱検知素子を、煙を感知するための煙検知室の対向する隔壁の一方側に隣接する火災感知回路部から他方側へ貫通させ突設させてなる熱及び煙を感知する複合形の火災感知器において、前記熱検知素子の前記煙検知室を通過するリード保護部を、前記隔壁に設けられる挿通孔に挿通可能で隙間を生じさせないように形成し、前記熱感知部は、保護等のための樹脂ディップを成されており、前記リード保護部を、煙検知室を通過する前記リード部を被覆し、前記熱感知部と略同一またはそれ以上の外形太さを有する硬質の樹脂成形体としたことを特徴とする火災感知器。
【請求項２】
前記挿通孔の周縁に、前記熱検知素子を挿通させる際の誘い込みための面取りを設けた請求項１記載の火災感知器。
【請求項３】
前記一方側の隔壁を前記煙検知室から分離させ、前記リード保護部をその隔壁と一体化させた請求項１または２記載の火災感知器。
【発明の詳細な説明】
【０００１】
【発明の属する技術分野】
本発明は火災感知器に関し、詳しくは、熱を感知する熱検知素子と煙を感知するための煙検知室とを備えた熱及び煙を感知する複合形の火災感知器の改良に関するものである。
【０００２】
【従来の技術】
従来から、火災感知器としては、熱を感知するサーミスタなどの熱検知素子を備えた熱感知器や、例えば光電式煙感知器と呼ばれる、ラビリンス構造の遮光壁を有しその内部に投光素子と受光素子とを配置した煙を感知するための煙検知室を備えた煙感知器がある。また、最近、火災の早期発見、あるいは非火災報と呼ばれている、例えば喫煙による煙などの火災以外の事象による誤った火災報知の軽減を目的とする、熱及び煙の感知量の時間的変化を検出して自動的に火災報知をおこなうアナログ式の自動火災報知システムが普及してきている。
【０００３】
上記の自動火災報知システムに使用する、複合形の火災感知器としては、例えば、図４に示す特許公開番号（平成１０−４０４７６）号のもののように、上記の煙検知室９と、周囲の温度を検知する熱検知素子１０とを備えた熱煙複合感知器であって、熱検知素子１０を、煙検知室９内の投光素子Ｌと受光素子Ｓとの位置関係によって構成される感煙領域より外れた位置に配置させたものが開示されている。
【０００４】
この火災感知器は、本出願人によって出願されたものであり、熱検知素子１０は、前記煙検知室９の底面に設けられた挿通孔（図示せず）を挿通するように設けられており、また、この挿通孔の周囲には、挿通孔より煙検知室内に入光する外乱光が、感煙領域に到達するのを防止するためにの同図において上方側に向け起立する遮光壁（図示せず）が設けることも提案されている。なお、図中、２は基台であって、火災感知回路部を形成する回路基板５が収容され、この回路基板上に上記の投光素子と受光素子及び熱検知素子１０を含んで構成される火災感知回路が設けられている。また、８は防虫網で、上記遮光壁の間から煙検知室９内部へ虫や浮遊物などが侵入して誤動作するのを防止している。
【０００５】
したがって、上記火災感知器によると、その感煙領域を外した位置に熱検知素子１０を配置したので、熱検知素子１０を煙検知室９の底面を挿通するように設けても、熱検知素子１０を設けた影響が感煙領域に及ぼされることがなく、且つ、熱検知素子１０の位置が火災感知器の中心に近いため、煙感知部となる上記投光素子と受光素子とによる光学系の外側の横の位置に熱検知素子１０を配置した場合に比べ、熱検知の検知範囲の方向性が偏らず、また広くなるので、熱検知素子１０を複数設けることなく良好に火災の熱を感知することもできる。
【０００６】
【発明が解決しようとする課題】
しかしながら、上記従来の技術においては、火災感知器近くに飛来した小さな虫、あるいは浮遊物が上記挿通孔の隙間から煙検知室９内部へ侵入することがあり、それによる誤動作や浮遊物（例えば粉塵など）の付着による性能低下を起こすことが懸念された。そのため、図５に示すように、サーミスタ素子による熱感知部１１から導出されるリード部を保護する熱感知部１１とともに形成された樹脂によるディップ部に、ゴム材料などの軟質材によるパッキン１２を設けて挿通孔の隙間を塞ぐよう改善していた。
【０００７】
ところで、この挿通孔に設けるパッキン１２には、熱感知部１１を少なくとも挿通可能でディップ部との隙間を少なくすることの出来る最小の孔が穿設されている。したがって、火災感知器を組み立てる際の作業性が低下するという問題があった。また、パッキン１２を隔壁へ固定させる手間が発生するとともに、火災感知器を長期使用した後の煙検知室９内の光学系洗浄の際、パッキン１２の離脱することが無いようパッキン１２を確実に固着させる必要もあって組み立てを自動化する際の阻害要因の一つとなっていた。
【０００８】
本発明は、上記事由に鑑みてなしたもので、その目的とするところは、防虫あるいは防汚性を低下させることなく組み立ての作業性向上のできる火災感知器を提供することにある。
【０００９】
【課題を解決するための手段】
上記目的を達成するために、本発明の火災感知器にあっては、熱を感知する熱感知部をリード部の先端に有する熱検知素子を、煙を感知するための煙検知室の対向する隔壁の一方側に隣接する火災感知回路部から他方側へ貫通させ突設させてなる熱及び煙を感知する複合形の火災感知器において、前記熱検知素子の前記煙検知室を通過するリード保護部を、前記隔壁に設けられる挿通孔に挿通可能で隙間を生じさせないように形成したことを特徴としている。
【００１０】
この構成にて、煙検知室の一方隔壁側に隣接する火災感知回路部から突設され、煙検知室を構成する隔壁に設けられる挿通孔にその熱感知部が挿通され、他方隔壁側へ向け煙検知室を通過する熱検知素子のリード保護部にて隙間が解消される。
【００１１】
そして、上記熱感知部は、保護等のための樹脂ディップを成されており、前記リード保護部を、煙検知室を通過する前記リード部を被覆し、前記熱感知部と略同一またはそれ以上の外形太さを有する硬質の樹脂成形体とすることが好ましい。この場合、保護等のための樹脂ディップ形成された熱感知部に連設される、それと略同一またはそれ以上の外形太さを有する硬質の樹脂成形体によるリード保護部をもった熱検知素子が、煙検知室を構成する隔壁に設けられた挿通孔に挿通される。
【００１２】
また、上記挿通孔の周縁に、前記熱検知素子を挿通させる際の誘い込みための面取りを設けるのが好ましい。この場合、熱検知素子の樹脂ディップ形成された熱感知部が、煙検知室を構成する隔壁に設けられた挿通孔周縁の面取りにて誘い込まれるようにして挿通される。
【００１３】
また、上記一方側の隔壁を前記煙検知室から分離させ、前記リード保護部をその隔壁と一体化させるのが好ましい。この場合、煙検知室から分離された、硬質樹脂成形体製のその一方側の隔壁と一体化されたリード保護部にて隙間が解消される。
【００１４】
【発明の実施の形態】
図１乃至図３は、本発明の請求項１乃至４全てに対応する一実施の形態を示し、図１は、本発明の一実施の形態の火災感知器の要部である煙検知室の概略構成を示し、（ａ）は熱検知素子周辺、（ｂ）は熱検知素子を示す説明図である。図２は、同火災感知器の煙検知室の概略構成を示す説明図、図３は、同火災感知器の別の実施例の要部である煙検知室の概略構成を示し、（ａ）は熱検知素子周辺、（ｂ）は熱検知素子を示す説明図である。
【００１５】
この実施の形態の火災感知器は、熱を感知する熱感知部６１をリード部６２の先端に有する熱検知素子６を、煙を感知するための煙検知室４の対向する隔壁４１，４２の一方側に隣接する火災感知回路部から他方側へ貫通させ突設させてなる熱及び煙を感知する複合形の火災感知器１において、前記熱検知素子６の前記煙検知室４を通過するリード保護部６３を、前記隔壁４１，４２に設けられる挿通孔４１ａ，４２ａに挿通可能で隙間を生じさせないように形成している。
【００１６】
また、該実施の形態の火災感知器１においては、前記熱感知部６１は、保護等のための樹脂ディップを成されており、前記リード保護部６３を、前記リード部６２を被覆し、前記熱感知部６１と略同一またはそれ以上の外形太さを有する硬質の樹脂成形体としてもいる。また、該実施の形態の火災感知器１においては、前記挿通孔４２ａの周縁に、前記熱検知素子６を挿通させる際の誘い込みための面取り４２ｂを設けてもいる。
【００１７】
詳しくは、この火災感知器１は、従来の技術の項にて述べたアナログ式の自動火災報知システムに使用することができるもので、全体構成は、図４に示して説明したものと略同様で同じものには同じ符号を付している。前述の防虫網８内部の煙検知室４内側には、図２に示すように、外乱光を感煙領域Ｒに進入させないための入り組んだ複数の遮光壁（一般にラビリンスと呼ぶ）４３と、投光素子Ｌと、受光素子Ｓとを備えて構成されており、感煙領域Ｒで投光素子Ｌから照射された光線の煙粒子による散乱光を受光素子Ｓが検出することによって煙を検出するようになっている。また熱検知素子６は、リード部６２の先端の熱感知部６１内にあるサーミスタチップの温度一抵抗特性を利用して温度検知を行うサーミスタ素子にて形成され、同図に示すように、火災時の熱気流の方向に対してその熱応答性が良く、また煙検知室４内の投光素子Ｌと受光素子Ｓとの位置関係によって構成される感煙領域Ｒより外れた位置に配置されている。
【００１８】
また、この火災感知器１では、煙検知室４の底面となる一方側隔壁４１の、上記感煙領域Ｒとなる外れた位置であって、この隔壁４１に一体形成される投光素子Ｌや、受光素子Ｓが設けられた場所以外の位置に、熱検知素子６を挿通する挿通孔４１ａが設けられており、熱感知部６１内のチップ部を他方側隔壁４２外側に露呈する状態で、挿通孔４２ａに挿通されるよう、投光素子Ｌや受光素子Ｓの取り付けられた基板５に取り付けられている。
【００１９】
この火災感知器１が従来のものと大きく異なるのは、熱検知素子６先端の、保護等のための樹脂ディップ形成された熱感知部６１から導出されたリード部６２の機械的保護部となるリード保護部６３を、従来において熱感知部６１とともに樹脂ディップ形成されていたものを、例えばＡＢＳ樹脂等の硬質の樹脂成形体とし一体成形して被覆するとともに、その樹脂成形体の外形太さを熱感知部６１と略同一程度の太さをとした点、及び略円筒状の煙検知室４を構成する他方側隔壁４２に設けられている挿通孔４２ａを前記リード保護部６３より僅かに細い内径寸法をもって形成した点で、これにより熱感知部６１を挿通孔４２ａに挿通可能で隙間を生じさせないようにしている。
【００２０】
また、熱感知部６１の樹脂ディップは略球状であって、比較的この挿通孔４２ａに挿通させやすいが、この場合、熱感知部６１が、煙検知室４を構成する隔壁４２に設けられた挿通孔４２ａ周縁の面取り４２ｂにて誘い込まれるようにして挿通されるので、さらに挿入させやすくなって組み立ての自動化がし易い。
【００２１】
なお上記熱感知部６１のサーミスタの構成は、よく知られたものと同様であるのでここでの説明は省略する。また、上記隔壁４１には、煙検知室４内に煙感知部となる光学系を形成する構成（図示せず）が一体化されており、基板５に実装される投光素子Ｌと受光素子Ｓとがこれにはめ込まれるようになっている。
【００２２】
上記の火災感知器１を組み立てる際には、まず、基板５に上記投光素子Ｌと受光素子Ｓとともに熱検知素子６（サーミスタ）を接続し、次に、この基板５を隔壁４１へはめ込んだ後、さらに基板５上の熱検知素子６の熱感知部６１を煙検知室４の他方側隔壁４２の挿通孔４２ａへ挿通させて外部へ露呈させる。この火災感知器１では、煙検知室４の一方隔壁４１側に隣接する火災感知回路部から突設され、煙検知室４を構成する隔壁４１，４２に設けられる挿通孔４１ａ，４２ａにその熱感知部６１が挿通され、他方隔壁４２側へ向け煙検知室４を通過する熱検知素子６のリード保護部６３にて隙間が解消されるので、防虫あるいは防汚性を維持させることができる。
【００２３】
またこのとき、熱感知部６１に連設されるそれと略同一の外形太さを有する硬質の樹脂成形体によるリード保護部６３をもった熱検知素子６を、そのリード保護部６３が隔壁４１，４２に設けられた挿通孔４１ａ，４２ａに屈曲すること無く挿通させることができる。
【００２４】
したがって、以上説明した火災感知器１によると、煙検知室４の一方隔壁４１側に隣接する火災感知回路部から突設され、煙検知室を構成する隔壁４２に設けられる挿通孔４２ａにその熱感知部６１が挿通され、他方隔壁４２側へ向け煙検知室４を通過する熱検知素子６のリード保護部６３にて隙間が解消されるので、防虫あるいは防汚性を低下させることなく組み立て作業性を向上できる。
【００２５】
そして、保護等のための樹脂ディップ形成された熱感知部６１に連設される、それと略同一の外形太さを有する硬質の樹脂成形体によるリード保護部６３をもった熱検知素子６が、煙検知室４を構成する隔壁４１，４２に設けられた挿通孔４１ａ，４２ａに挿通されるので、リード保護部６３が屈曲すること無く挿通させることができて作業性が優れる。また、熱検知素子６の樹脂ディップ形成された熱感知部６１が、煙検知室４を構成する隔壁４２に設けられた挿通孔４２ａ周縁の面取り４２ｂにて誘い込まれるようにして挿通されるので、さらに挿入させやすくなって、より作業性が向上し、組み立ての自動化もし易い。
【００２６】
また、上記の火災感知器１は、上記一方側の隔壁４１を煙検知室４から分離させ、図３に示すように、その隔壁４１に相当する隔壁７４とリード保護部７３を一体化させた熱検知素子７として構成することも好ましい。この場合、煙検知室４から分離された、硬質樹脂成形体製のその一方側の隔壁７４と一体化されたリード部７２を保護するリード保護部７３にて隙間が解消されることとなり、熱検知素子の熱感知部７１に例えばＡＢＳ樹脂等の硬質の樹脂成形体としたリード保護部７３を一体成形して被覆する成形工程を、隔壁７４の成形工程と共用することとなって低コスト化ができるという効果を奏する。本発明の火災感知器は、このような構成以外に、各種実施形態のものを含むことは勿論言うまでもない。
【００２７】
【発明の効果】
本発明は、上述の実施態様の如く実施されて、請求項１記載の火災感知器にあっては、煙検知室の一方隔壁側に隣接する火災感知回路部から突設され、煙検知室を構成する隔壁に設けられる挿通孔にその熱感知部が挿通され、他方隔壁側へ向け煙検知室を通過する熱検知素子のリード保護部にて隙間が解消されるので、防虫あるいは防汚性を低下させることなく組み立て作業性を向上できる。
【００２８】
また、請求項１記載の火災感知器にあっては、保護等のための樹脂ディップ形成された熱感知部に連設される、それと略同一またはそれ以上の外形太さを有する硬質の樹脂成形体によるリード保護部をもった熱検知素子が、煙検知室を構成する隔壁に設けられた挿通孔に挿通されるので、リード保護部が屈曲すること無く挿通させることができて作業性が優れる。
【００２９】
また、請求項２記載の火災感知器にあっては、熱検知素子の樹脂ディップ形成された熱感知部が、煙検知室を構成する隔壁に設けられた挿通孔周縁の面取りにて誘い込まれるようにして挿通されるので、さらに挿入させやすくなって、より作業性が向上し、組み立ての自動化もし易い。
【００３０】
また、請求項３記載の火災感知器にあっては、煙検知室から分離された、硬質樹脂成形体製のその一方側の隔壁と一体化されたリード保護部にて隙間が解消されるので、熱検知素子の熱感知部に硬質の樹脂成形体としたリード保護部を一体成形して被覆する成形工程を、隔壁の成形工程と共用することとなって低コスト化ができる。
【図面の簡単な説明】
【図１】本発明の一実施の形態の火災感知器の要部である煙検知室の概略構成を示し、（ａ）は熱検知素子周辺、（ｂ）は熱検知素子を示す説明図である。
【図２】同火災感知器の煙検知室の概略構成を示す説明図である。
【図３】同火災感知器の別の実施例の要部である煙検知室の概略構成を示し、（ａ）は熱検知素子周辺、（ｂ）は熱検知素子を示す説明図である。
【図４】本発明の従来例である火災感知器を示す説明図である。
【図５】本発明の別従来例である火災感知器を示す概略構成図である。
【符号の説明】
１    火災感知器
４    煙検知室
４１，４２  隔壁
５    火災感知回路部
６    熱検知素子
６１  熱感知部
６２  リード部
６３  リード保護部
【図１】
0003823739.tif 000002
【図２】
0003823739.tif 000003
【図３】
0003823739.tif 000004
【図４】
0003823739.tif 000005
【図５】
0003823739.tif 000006